(57)【要約】【課題】容易に部品を交換できるバックライトユニット及びこれを具備する表示装置を提供する。【解決手段】実施例によるバックライトユニットは、ＬＥＤを含むＬＥＤモジュールと、前記ＬＥＤモジュールを支持し、前記ＬＥＤモジュールの一端をガイドして固定させる折曲部を含むケースと、前記ＬＥＤモジュールを前記ケースに固定させる固定手段を含む。【選択図】図４
2010515220.tif 000002
【特許請求の範囲】
【請求項１】
ＬＥＤを含むＬＥＤモジュールと、
前記ＬＥＤモジュールを支持し、前記ＬＥＤモジュールの一端をガイドして固定させる折曲部を含むケースと、
前記ＬＥＤモジュールを前記ケースに固定させる固定手段と、
を含むバックライトユニット。
【請求項２】
前記ＬＥＤモジュールは、印刷回路基板と、前記印刷回路基板上の前記ＬＥＤと、前記ＬＥＤ上のモールド部を含む請求項１に記載のバックライトユニット。
【請求項３】
前記折曲部は、前記ＬＥＤモジュールが固定される位置に対応して前記ＬＥＤモジュールより同一、または短い長さに形成された請求項１に記載のバックライトユニット。
【請求項４】
前記折曲部は、前記ＬＥＤモジュールが固定される位置に対応して形成された少なくとも一つの折曲された領域を含む請求項１に記載のバックライトユニット。
【請求項５】
前記ケースはサス（ＳＵＳ）材質から形成された請求項１に記載のバックライトユニット。
【請求項６】
前記ＬＥＤモジュールの上に位置し、前記ＬＥＤが露出するように開口部を有する反射シートを含む請求項１に記載のバックライトユニット。
【請求項７】
前記反射シートは前記ＬＥＤから発光された光を上部に反射させる請求項６に記載のバックライトユニット。
【請求項８】
前記折曲部が形成されていない前記ＬＥＤモジュールの他端領域で、前記固定手段が前記ＬＥＤモジュールを前記ケースに固定させる請求項１に記載のバックライトユニット。
【請求項９】
前記折曲部は前記ケースと一体に形成された請求項１に記載のバックライトユニット。
【請求項１０】
前記折曲部は前記ケースと別途の部材から形成された請求項１に記載のバックライトユニット。
【請求項１１】
前記ＬＥＤモジュールは複数個に形成され、少なくとも一つのＬＥＤモジュールは複数個のＬＥＤを含む請求項１に記載のバックライトユニット。
【請求項１２】
前記ＬＥＤモジュールは複数個に形成され、それぞれのＬＥＤモジュールは一つのＬＥＤを含む請求項１に記載のバックライトユニット。
【請求項１３】
ＬＥＤを含むＬＥＤモジュールと、
前記ＬＥＤモジュールを支持し、前記ＬＥＤモジュールの一端をガイドして固定させる折曲部を含むケースと、
前記ＬＥＤモジュールを前記ケースに固定させる固定手段を含むバックライトユニットと、
映像を表す表示部と、
を含む表示装置。
【請求項１４】
前記表示部は、液晶パネルである請求項１３に記載の表示装置。
【請求項１５】
前記ＬＥＤモジュールは、印刷回路基板と、前記印刷回路基板上の前記ＬＥＤと、前記ＬＥＤ上のモールド部を具備する請求項１３に記載の表示装置。
【請求項１６】
前記折曲部は、前記ＬＥＤモジュールが固定される位置に対応して前記ＬＥＤモジュールより同一、または短い長さに形成された請求項１３に記載の表示装置。
【請求項１７】
前記折曲部は、前記ＬＥＤモジュールが固定される位置に対応して形成された少なくとも一つの折曲された領域を含む請求項１３に記載の表示装置。
【請求項１８】
前記ＬＥＤモジュールの上に位置し、前記ＬＥＤを露出する開口部を有する反射シートを含む請求項１３に記載の表示装置。
【請求項１９】
前記折曲部が形成されていない前記ＬＥＤモジュールの他端領域で、前記固定手段が前記ＬＥＤモジュールを前記ケースに固定させる請求項１３に記載の表示装置。
【請求項２０】
前記折曲部は前記ケースと一体、又は別途の部材から形成された請求項１３に記載の表示装置。
【発明の詳細な説明】
【技術分野】
【０００１】
実施例はバックライトユニット及びこれを具備する表示装置に関するものである。
【背景技術】
【０００２】
図１は従来バックライトユニットの一部を模式的に示したものであり、図２は図１のI-I'に沿った断面図である。
【０００３】
従来バックライトユニットは、図１及び図２に示しているように、ケース１０と、ＬＥＤモジュール２０と、固定手段３０を含む。
【０００４】
光を提供する前記ＬＥＤモジュール２０は印刷回路基板２１と、前記印刷回路基板２１に形成されたＬＥＤ２３と、前記ＬＥＤ２３の上に形成されたモールド部２５を含む。前記ＬＥＤモジュール２０の上には前記ＬＥＤ２３が露出するように開口部が形成された反射シートが形成される。前記反射シートは前記ＬＥＤ２３から発光された光を上部に反射させる役割をする。
【０００５】
前記固定手段３０は前記ＬＥＤモジュール２０を前記ケース１０に固定させる。前記ケース１０はボトムカバーであることがある。前記固定手段３０は例えばねじからなることができる。このような構造を持つバックライトユニットには複数のＬＥＤモジュール２０が具備される。
【０００６】
一方、製品出荷のための検査過程で、前記ＬＥＤモジュール２０の不良が発見される場合がある。このように、前記ＬＥＤモジュール２０の不良が検出される場合、前記ＬＥＤモジュール２０を交換するために前記複数の固定手段３０を分離しなければならない。ところで、図１及び図２に示しているように、前記ＬＥＤモジュール２０を前記ケース１０から分離するためには、多数の固定手段３０を分離しなければならないという手間がかかる問題点がある。また、製品が出荷された後の使用者の使用中においても、不良発生などの理由から前記ＬＥＤモジュール２０を交換する必要が発生する。
【０００７】
このような問題点より、前記ＬＥＤモジュール２０を前記ケース１０から容易に分離して交換できるバックライトユニットが要求される。
【発明の概要】
【発明が解決しようとする課題】
【０００８】
実施例は容易に部品を交換できるバックライトユニット及びこれを具備する表示装置を提供する。
【課題を解決するための手段】
【０００９】
実施例によるバックライトユニットは、ＬＥＤを含むＬＥＤモジュールと、前記ＬＥＤモジュールを支持し、前記ＬＥＤモジュールの一端をガイドして固定させる折曲部を含むケースと、前記ＬＥＤモジュールを前記ケースに固定させる固定手段を含む。
【００１０】
また、実施例による表示装置は、ＬＥＤを含むＬＥＤモジュールと、前記ＬＥＤモジュールを支持し、前記ＬＥＤモジュールの一端をガイドして固定させる折曲部を含むケースと、前記ＬＥＤモジュールを前記ケースに固定させる固定手段を具備するバックライトユニットと、映像を表す表示部を含む。
【発明の効果】
【００１１】
実施例によるバックライトユニット及びこれを具備する表示装置は、容易に部品を交換できる長所がある。
【図面の簡単な説明】
【００１２】
【図１】従来バックライトユニットの一部を模式的に示したものである。
【図２】図１のI-I'に沿った断面図である。
【図３】実施例によるバックライトユニットの一部を模式的に示したものである。
【図４】図３のII−II'に沿った断面を示した図面である。
【図５】実施例によるバックライトユニットの他の例を模式的に示したものである。
【図６】図５のIII-III'に沿った断面を示した図面。
【発明を実施するための形態】
【００１３】
実施例の説明において、各層（膜）、領域、パターン又は構造物が基板、各層（膜）、領域、パッド又はパターンの“上（on）”又は“下（under）”に形成されることと記載される場合、“上（on）”と“下（under）”は“直接（directly）”又は“他の層を介在して（indirectly）”形成されるものを皆含む。
【００１４】
以下、添付された図面を参照しながら実施例を説明する。図３は実施例によるバックライトユニットの一部を模式的に示した図面であり、図４は図３のII−II'に沿った断面図である。
【００１５】
実施例によるバックライトユニットは、図３及び図４に示しているように、ケース１１０と、ＬＥＤモジュール１２０と、固定手段１３０と、折曲部１４０を含む。
【００１６】
光を提供する前記ＬＥＤモジュール１２０は印刷回路基板１２１と、前記印刷回路基板１２１に形成されたＬＥＤ１２３と、前記ＬＥＤ１２３の上に形成されたモールド部１２５を含む。前記ＬＥＤ１２３は前記印刷回路基板１２１に実装されることができる。
【００１７】
前記ＬＥＤモジュール１２０は複数個に形成され、少なくとも一つのＬＥＤモジュール１２０は複数個のＬＥＤを含むことができる。また前記ＬＥＤモジュール１２０は複数個に形成され、それぞれのＬＥＤモジュール１２０は一つのＬＥＤを含むことができる。
【００１８】
前記ＬＥＤモジュール１２０の上には前記ＬＥＤ１２３が露出するように開口部が形成された反射シートが形成される。前記反射シートは前記ＬＥＤ１２３から発光された光を上部に反射させる役割をする。
【００１９】
前記ケース１１０は前記ＬＥＤモジュール１２０を支持し、前記ケース１１０には前記ＬＥＤモジュール１２０の一端をガイドして固定させる折曲部１４０が形成されている。前記折曲部１４０は、前記ＬＥＤモジュール１２０が固定される位置に対応して前記ＬＥＤモジュール１２０と同一長さに形成されることができる。前記折曲部１４０は前記ＬＥＤモジュール１２０より長く、または短く形成されることができる。前記折曲部１４０は前記ケース１１０の開口部１５０に該当する領域が折曲されて形成されることができる。前記ケース１１０は例えばサス（ＳＵＳ）材質から形成されることができ、前記折曲部１４０は前記ケース１１０を製造する過程で前記ケース１１０と一体に形成されることができる。
【００２０】
前記固定手段１３０は前記ＬＥＤモジュール１２０を前記ケース１１０に固定させる。前記ケース１１０はボトムカバーであることがある。前記固定手段１３０は例えばねじ、釘からなることができる。前記固定手段１３０は前記ケース１１０の内部、又は前記ケース１１０を貫通して締結されることができる。前記固定手段１３０が締結される位置は、設計により多様に変形することができる。
【００２１】
ただし、実施例によるバックライトユニットでは、前記固定手段１３０が前記ＬＥＤモジュール１２０を前記ケース１１０への固定において、前記折曲部１４０が形成されていない前記ＬＥＤモジュール１２０の他端領域で、前記固定手段１３０が前記ＬＥＤモジュール１２０と締結されるようにする。
【００２２】
実施例によるバックライトユニットでは、前記固定手段１３０と前記ＬＥＤモジュール１２０の一端に形成された折曲部１４０によって、前記ＬＥＤモジュール１２０が前記ケース１１０に固定されることができる。これによって、図１及び図２を参照に説明された従来バックライトユニットに比べて、前記固定手段１３０の個数を著しく減らすことができるので、前記ケース１１０から前記ＬＥＤモジュール１２０の分離作業をはるかに単純化せることができる。
【００２３】
このように、実施例によるバックライトユニットによれば、前記ＬＥＤモジュール１２０を前記ケース１１０から容易に分離して交換することができる。このような構造を持つバックライトユニットには複数のＬＥＤモジュール１２０が具備される。前記ＬＥＤモジュール１２０の個数はバックライトユニットの適用例によって多様に変形でき、また、その配置も多様に変形することができる。
【００２４】
なお、以上の説明では、前記折曲部１４０が前記ケース１１０と一体に形成される場合を基準に説明したが、前記折曲部１４０は前記ケース１１０と一体ではない別途の部材から形成されることもできる。
【００２５】
実施例によるバックライトユニットは光源を必要とする多様な表示装置に適用することができる。例えば、前記バックライトユニットは液晶パネルを具備する液晶表示装置に適用することができる。液晶表示装置では、前記バックライトユニットから提供される光を利用して、前記液晶パネルの表示部に映像を表示することできるようになる。
【００２６】
一方、図５は実施例によるバックライトユニットの他の例を模式的に示した図面であり、図６は図５のIII-III'に沿った断面図である。
【００２７】
実施例によるバックライトユニットは、図５及び図６に示しているように、ケース２１０と、ＬＥＤモジュール２２０と、固定手段２３０と、折曲部２４０を含む。
【００２８】
光を提供する前記ＬＥＤモジュール２２０は印刷回路基板２２１と、前記印刷回路基板２２１に形成されたＬＥＤ２２３と、前記ＬＥＤ２２３の上に形成されたモールド部２２５を含む。前記ＬＥＤ１２３は前記印刷回路基板１２１に実装されることができる。
【００２９】
前記ＬＥＤモジュール２２０は複数個に形成され、それぞれのＬＥＤモジュール２２０は図５のようにＬＥＤを含むことができる。また前記ＬＥＤモジュール２２０は複数個に形成され、少なくとも一つのＬＥＤモジュール２２０は複数個のＬＥＤを含むことができる。
【００３０】
前記ＬＥＤモジュール２２０の上には前記ＬＥＤ２２３が露出するように開口部が形成された反射シートが形成される。前記反射シートは前記ＬＥＤ２２３から発光された光を上部に反射させる役割をする。
【００３１】
前記ケース２１０は前記ＬＥＤモジュール２２０を支持し、前記ケース２１０には前記ＬＥＤモジュール２２０の一端をガイドして固定させる折曲部２４０が形成されている。前記折曲部２４０は、前記ＬＥＤモジュール２２０が固定される位置に対応して前記ＬＥＤモジュール２２０より短い長さに折曲されて形成されることができる。前記折曲部２４０は前記ＬＥＤモジュール２２０より長く、または同一長さに形成されることができる。前記折曲部２４０は前記ケース２１０の開口部２５０に該当する領域が折曲されて形成されることができる。前記折曲部２４０は前記ＬＥＤモジュール２２０を安定的に固定できるように、少なくとも一つの折曲された領域を含むことができる。前記ケース２１０は例えばサス（ＳＵＳ）材質から形成されることができ、前記折曲部２４０は前記ケース２１０を製造する過程で前記ケース２１０と一体に形成されることができる。
【００３２】
前記固定手段２３０は前記ＬＥＤモジュール２２０を前記ケース２１０に固定させる。前記ケース２１０はボトムカバーであることがある。前記固定手段２３０は例えばねじ、釘からなることができる。図５では、前記固定手段２３０は一つのＬＥＤモジュールに対し二つのねじを含む。前記固定手段２３０は前記ケース２１０の内部、又は前記ケース２１０を貫通して締結されることができる。前記固定手段２３０が締結される位置は、設計により多様に変形することができる。
【００３３】
ただし、実施例によるバックライトユニットでは、前記固定手段２３０が前記ＬＥＤモジュール２２０を前記ケース２１０への固定において、前記折曲部２４０が形成されていない前記ＬＥＤモジュール２２０の他端領域で、前記固定手段２３０が前記ＬＥＤモジュール２２０と締結されるようにする。
【００３４】
実施例によるバックライトユニットでは、前記固定手段２３０と前記ＬＥＤモジュール２２０の一端に形成された前記折曲部２４０によって、前記ＬＥＤモジュール２２０が前記ケース２１０に固定されることができる。これによって、図１及び図２を参照に説明された従来バックライトユニットに比べて、前記固定手段２３０の個数を著しく減らすことができるので、前記ケース２１０から前記ＬＥＤモジュール２２０の分離作業をはるかに単純化させることができる。
【００３５】
このように、実施例によるバックライトユニットによれば、前記ＬＥＤモジュール２２０を前記ケース２１０から容易に分離して交換することができる。このような構造を持つバックライトユニットには複数のＬＥＤモジュール２２０が具備される。前記ＬＥＤモジュール２２０の個数はバックライトユニットの適用例によって多様に変形でき、また、その配置も多様に変形することができる。
【００３６】
なお、以上の説明では、前記折曲部２４０が前記ケース２１０と一体に形成される場合を基準に説明したが、前記折曲部２１０は前記ケース２１０と一体ではない別途の部材から形成されることもできる。
【００３７】
実施例によるバックライトユニットは光源を必要とする多様な表示装置に適用することができる。例えば、前記バックライトユニットは液晶パネルを具備する液晶表示装置に適用することができる。液晶表示装置では、前記バックライトユニットから提供される光を利用して、前記液晶パネルの表示部に映像を表示することができるようになる。
【００３８】
本明細書において、「実施例」等を参照する場合には、当該実施例に関連して記述された特定の特徴、構造または特色が、少なくとも、本発明のある態様に含まれることを意味する。本明細書の様々な箇所における当該用語の使用は、必ずしも同じ実施例を参照していることを意味しない。さらに、特定の特徴、構造または特色がいずれのかの実施例に関連して記述される場合には、他の実施例に関連する特徴、構造または特色に影響することが当業者に理解されるものとする。
【００３９】
実施例は多くの具体例を参照して説明されているが、本発明の属する分野の通常の知識を有する者であれば、本発明の本質的な特性から離脱しない範囲内で、様々な変形及び応用が可能であることが理解できるはずである。特に、本明細書の開示、図面および係属中の請求項の範囲内において、様々な変形および変更が構成要素および／または主題の組み合わせの配列において可能である。構成要素および／または配列の変形および変更に加え、代替手段も当業者にとって明らかである。
【産業上利用の可能性】
【００４０】
このような本発明の実施例によるバックライトユニット及びこれを具備する表示装置は、容易に部品を交換できる長所がある。
【符号の説明】
【００４１】
１１０  ケース、  １２０  ＬＥＤモジュール、  １２１  印刷回路基板、  １２３  ＬＥＤ、  １２５  モールド部、  １３０  固定手段、  １４０  折曲部、  １５０  開口部。
【図１】
2010515220.tif 000003
【図２】
2010515220.tif 000004
【図３】
2010515220.tif 000005
【図４】
2010515220.tif 000006
【図５】
2010515220.tif 000007
【図６】
2010515220.tif 000008
【国際調査報告】
2010515220.tif 000009
2010515220.tif 000010